(57)【要約】  【課題】照明手段、商品選択ボタン、金額表示器を利用して、消費者の注意を引かせることができる自動販売機を提供するものである。  【解決手段】商品内容を表す商品見本パネル４と、商品見本パネル４を後方から照らす照明手段６と、各商品見本パネル４に対応し、ランプ表示する商品選択ボタン７を有する自動販売機において、販売待機時に商品選択ボタン７を任意のパターンで点灯・消灯することでイルミネーション表示を行い、このイルミネーション表示に連動して照明手段６、金額表示器９を任意のパターンで文字、記号等を表示することにより、消費者の注意を引くことができる。【選択図】図４
2009169638.tif 000002
【特許請求の範囲】
【請求項１】
矩形状の透明パネルに商品サンプルを表示する表示シートを挿入した商品サンプル表示部と、前記商品サンプル表示部を後方から照らす照明手段と、各商品サンプル表示部に対応し、ランプ表示する商品選択ボタンを有する自動販売機において、販売待機時に前記商品選択ボタンを任意のパターンで点灯・消灯する表示を行い、前記商品選択ボタンの表示に連動して前記商品サンプル表示部を点灯・消灯することを特徴とする自動販売機。
【請求項２】
投入された貨幣の金額をランプ表示する金額表示器を備え、前記照明手段と前記商品選択ボタンの任意の表示パターンに連動して、前記金額表示器に任意のパターンで文字、記号等を表示することを特徴とする請求項１に記載の自動販売機。
【請求項３】
音を発生させる音発生手段を備え、前記照明手段と前記商品選択ボタンと前記金額表示器の任意の表示パターンに連動して、前記音発生手段により音を発生することを特徴とする請求項１または２に記載の自動販売機。
【請求項４】
前記音発生手段により音を発生させる時間帯を設定する音発生時間帯設定手段を備えることを特徴とする請求項３に記載の自動販売機。
【請求項５】
前記照明手段と前記商品選択ボタンと前記金額表示器の表示パターン動作を選択するパターン設定手段を備えることを特徴とする請求項１から３のいずれか一項に記載の自動販売機。
【請求項６】
前記照明手段と前記商品選択ボタンと前記金額表示器による表示と、前記音発生手段による発音を任意のパターン動作で動作させる時間帯を設定するパターン動作時間帯設定手段を備えることを特徴とする請求項１から５のいずれか一項に記載の自動販売機。
【発明の詳細な説明】
【技術分野】
【０００１】
本発明は、照明手段、商品選択ボタン、金額表示器を利用して、消費者の注意を引かせることができる自動販売機に関するものである。
【背景技術】
【０００２】
一般に自動販売機の外扉の前面には、内部に充填された各種商品を選択する商品選択ボタンを有している。この商品選択ボタンに内蔵されたランプにより、販売可能状態となっているのか、売切れ状態となっているかを明示しており、夜間においても商品の購入操作が容易になるようにしている。また、同じく外扉の前面には金額表示器を有しており、この金額表示器により、投入貨幣の金額や釣り銭の金額を表示している。また、サンプル缶の背面には蛍光灯などの照明装置を有しており、照明装置を点灯させて、購入者にどのような商品が売られているのか夜間においても見えやすいようにしている。
【０００３】
しかしながら、前記従来の自動販売機では、前述の如く商品選択ボタンはボタン位置を顕在化させ、販売可能状態であるのか売切れ状態であるのかを表示するものに過ぎず、また、金額表示器も金額を表示するものに過ぎない。また、蛍光灯も同様にサンプル缶を点灯しているだけにすぎない。
【０００４】
よって、商品選択ボタンや金額表示器や蛍光灯により消費者の注意を十分に引くことができないという課題があった。
【０００５】
この課題を解決した自動販売機が参考文献１などに記載されている。そして、特許文献１の自動販売機では、商品選択ボタンに内蔵された販売可能ランプ、売切れランプあるいは金額表示器を順次点灯等することにより、購買意欲を喚起させる自動販売機が提案されている。
【特許文献１】特開平１０−１４９４８２号公報
【発明の開示】
【発明が解決しようとする課題】
【０００６】
しかしながら、特許文献１などの自動販売機では、販売待機時に商品選択ボタンの販売可能ランプまたは売切れランプを任意のパターンで点灯・消灯したり、金額表示器を任意のパターンで文字、記号等を表示するものであり、商品選択ボタンと金額表示器は独立した表示をしており、消費者にとっては統一感のないランプ表示をしているだけで、面白みがないという感を受け、消費者の注意を引かせるには、十分なものでなかった。
【０００７】
また、蛍光灯はサンプル缶を表示するだけの位置づけでしかないものである。
【０００８】
そこで、本発明は、照明手段、商品選択ボタン、金額表示器を利用して、消費者の注意を更に引かせることができる自動販売機を提供する。
【課題を解決するための手段】
【０００９】
前記従来の課題を解決するために、本発明の自動販売機は、販売待機時に商品選択ボタンを任意のパターンで点灯・消灯することでイルミネーション表示を行い、このイルミネーション表示に連動して照明手段、金額表示器を任意のパターンで文字、記号等を表示するものである。
【発明の効果】
【００１０】
本発明の自動販売機は、照明手段、商品選択ボタン、金額表示器による表示を連動させ、統一感のある表示を行うことにより、より一層消費者の注意を引くことができる。
【発明を実施するための最良の形態】
【００１１】
請求項１に記載の発明は、矩形状の透明パネルに商品サンプルを表示する表示シートを挿入した商品サンプル表示部と、前記商品サンプル表示部を後方から照らす照明手段と、各商品サンプル表示部に対応し、ランプ表示する商品選択ボタンを有する自動販売機において、販売待機時に前記商品選択ボタンを任意のパターンで点灯・消灯する表示を行い、前記商品選択ボタンの表示に連動して前記商品サンプル表示部を点灯・消灯することにより、消費者の注意を引くことができ購買促進を図ることができる。
【００１２】
請求項２に記載の発明は、特に第１の発明に、投入された貨幣の金額をランプ表示する金額表示器を備え、前記照明手段と前記商品選択ボタンの任意の表示パターンに連動して、前記金額表示器に任意のパターンで文字、記号等を表示することにより、更に統一感の高い表示を行え、更に消費者の注意を引くことができる。
【００１３】
請求項３に記載の発明は、特に第１または２の発明に、音を発生させる音発生手段を備え、前記照明手段と前記商品選択ボタンと前記金額表示器の任意の表示パターンに連動して、前記音発生手段により音を発生することにより、視覚的にも聴覚的にも消費者の注意を引くことができる。
【００１４】
請求項４に記載の発明は、特に第３の発明に、前記音発生手段により音を発生させる時間帯を設定する音発生時間帯設定手段を備え、消費者の注意を引きたいが、夜中などの音を発生させ周囲に迷惑をかけたくない時間帯を設定することができる。
【００１５】
請求項５に記載の発明は、特に第１から３のいずれか一つの発明に、前記照明手段と前記商品選択ボタンと前記金額表示器の表示パターン動作を選択するパターン設定手段を備え、オペレータの好み、ロケーションに応じたパターンを選択することができる。
【００１６】
請求項６に記載の発明は、特に第１から５のいずれか一つの発明に、前記照明手段と前記商品選択ボタンと前記金額表示器による表示と、前記音発生手段による発音を任意のパターン動作で動作させる時間帯を設定するパターン動作時間帯設定手段を備え、消費者がいない時間帯での無駄なパターン動作をさせないことで、省エネを図ることができる。
【００１７】
以下、本発明の実施の形態について、図面を参照しながら説明する。なお、この実施の形態によってこの発明が限定されるものではない。
【００１８】
（実施の形態１）
図１は、本発明の実施の形態１における自動販売機の外観を示した斜視図である。図２は、同実施の形態の自動販売機の金額表示器の外観を示した正面図である。図３は同実施の形態の自動販売機の照明手段と商品選択ボタンと金額表示器の表示パターン状態を示す説明図である。図４は同実施の形態の自動販売機の機能ブロック図である。図５は同実施の形態の自動販売機の発音パターンを示す説明図である。図６は同実施の形態による全連動パターンを示す説明図である。図７、図８は、同実施の形態の自動販売機の動作を示すフローチャートである。
【００１９】
図１において本発明の実施の形態１の自動販売機１は、本体部２前面にメイン扉部３を有している。メイン扉部３に各商品の外観等が示されて、商品サンプルを表示する表示シートを挿入した商品見本パネル（商品サンプル表示部ともいう）４と、各商品見本パネル４をセットできる商品展示スペース５と、商品展示スペース５を照明する照明手段６（図示せず）と、販売可能ランプや売切れランプ等の商品関連ランプを内包し、商品を購入する際に押す商品選択ボタン７と、硬貨等を投入する硬貨投入口８と、投入した金額等を表示する金額表示器９と、選択した商品を取出す商品取出口１０とが設けられている。
【００２０】
図２において金額表示器９は消費者が投入した金額または販売待機中に表示する文字を、７つのＬＥＤで点灯・消灯させることにより文字等を表示させる７セグメントＬＥＤ１１にて表示を行う。
【００２１】
販売動作は消費者が商品見本パネル４を見て、購入したい商品を決定し、硬貨投入口８に硬貨を投入し、商品見本パネル４の下に設けられた商品選択ボタン７にて商品を選択するなどの所定の操作を行うことで、商品選択ボタン７に対応した商品が商品取出口１０に払い出される。消費者は商品取出口１０を開け、商品を取り出すことができる。
【００２２】
図３において、ａ１からａ８は一列８個の３列分設けられた照明手段６、商品選択ボタン７による点灯・消灯パターンであり、黒塗り部が点灯を表している。また、ｂ１からｂ８は金額表示器９にて点灯・消灯させるパターンであり、黒塗り部が点灯を表している。イルミネーション動作は何も点灯させていないａ１、ｂ１の状態から照明手段６、商品選択ボタン７をパターンａ２の状態に点灯させ、これに連動して金額表示器９の表示をパターンｂ２にて点灯させる。以後同様にパターンａ３，ｂ３以降を照明手段６、商品選択ボタン７、金額表示器９にて表示させ、パターンａ８．ｂ８を点灯した時点で、パターンａ１，ｂ１に戻り、以後この動作を繰り返すものである。
【００２３】
図４において、音発生手段１２は任意の音を発生し、図３に示す照明手段６、商品選択ボタン７による表示パターンａ１からａ８、金額表示器９による表示パターンｂ１からｂ８の８パターンに対応して図５のような音発生手段１２による発音パターンｃ１からｃ８を発生する。音発生時間帯設定手段１３は音発生手段１２による発音を行う時間帯を設定する。音発生時間帯記憶手段１４は音発生時間帯設定手段１３により設定された時間帯を記憶する。全パターン記憶手段１５は図６のように照明手段６、商品選択ボタン７、金額表示器９による表示、音発生手段１２による発音の複数のパターンを記憶している。
【００２４】
パターン設定手段１６は全パターン記憶手段１５より実施するパターンを設定する。パターン記憶手段１７はパターン設定手段１６により設定されたパターンを記憶する。パターン動作時間帯設定手段１８は照明手段６、商品選択ボタン７、金額表示器９による表示、音発生手段１２による発音を行う時間帯を設定する。パターン動作時間帯記憶手段１９はパターン動作時間帯設定手段１８により設定された時間帯を記憶する。演算制御部３０は全パターン記憶手段１５からパターン設定手段１６により、照明手段６、商品選択ボタン７、金額表示器９による表示、音発生手段１２による発音するパターンを設定し、パターン記憶手段１７に記憶させる。また、音発生時間帯設定手段１３により、音発生手段１２による発音する時間帯を設定し、音発生時間帯記憶手段１４に記憶させる。
【００２５】
また、パターン動作時間帯設定手段１８によりパターン動作する時間帯を設定し、パターン動作時間帯記憶手段１９に記憶させる。そして、販売待機中にパターン動作時間帯記憶手段１９にて記憶している時間帯であればパターン記憶手段１７にて記憶しているパターンで照明手段６、商品選択ボタン７、金額表示器９による表示を行い、音発生時間帯記憶手段１４にて記憶している時間帯であれば、音発生手段１２による発音を連動させ、順次に動作させる。
【００２６】
図７において、以上のように構成された自動販売機について、以下その動作を説明する。
【００２７】
演算制御部３０はパターン設定手段１６により全パターン記憶手段１５で記憶している複数のパターンから実施するパターン１を設定し（ＳＴＥＰ１）、パターン記憶手段１７に記憶させる（ＳＴＥＰ２）。続いて、音発生時間帯設定手段１３により音発生時間帯を１６時から２１時に設定し（ＳＴＥＰ３）、音発生時間帯記憶手段１４に記憶させる（ＳＴＥＰ４）。続いて、パターン動作時間帯設定手段１８によりパターン動作する時間帯を１５時から２４時に設定し（ＳＴＥＰ５）、パターン動作時間帯記憶手段１９に記憶させる（ＳＴＥＰ６）。
【００２８】
続いて図８において、演算制御部３０はパターン記憶手段１７に記憶しているパターン１を実施し、照明手段６、商品選択ボタン７による表示パターンをａ１に、金額表示器９による表示パターンをｂ１に、音発生手段１２による発音パターンをｃ１にプリセットする（ＳＴＥＰ７）。
【００２９】
次に現在時刻がパターン動作時間帯記憶手段１９により記憶している１５時から２４時の間であるかを判定し（ＳＴＥＰ８）、時間帯外であれば、照明手段６、商品選択ボタン７による表示パターンａ１、金額表示器９による表示パターンｂ１、音発生手段１２による発音パターンｃ１を行わず終了する。時間帯内であれば、硬貨が投入されたかを判定し（ＳＴＥＰ９）、硬貨投入されていれば商品選択ボタン７、金額表示器９によるパターン表示、及び音発生手段１２による発音を終了する。
【００３０】
硬貨投入されていなければ、現在時刻が音発生時間帯記憶手段１４により記憶している１６時から２１時の間であるかを判定し（ＳＴＥＰ１０）、時間帯内であれば音発生手段１２による発音パターンｃ１を発音させる（ＳＴＥＰ１１）。続いて、照明手段６、商品選択ボタン７による表示パターンａ１、金額表示器９による表示パターンｂ１にて表示させる（ＳＴＥＰ１２）。時間帯外であれば、音発生手段１２による発音を行わず、照明手段６、商品選択ボタン７による表示パターンａ１、金額表示器９による表示パターンｂ１にて表示させる。
【００３１】
次に現在表示・発音しているパターンｎがパターン最大番号である８を超えたかを判定し、超えていればＳＴＥＰ７に戻り（ＳＴＥＰ１３）、パターンａ１、ｂ１、ｃ１にプリセットする。現在表示・発音しているパターンｎがパターン最大番号である８を超えていなければ、パターンｎをカウントアップし、ＳＴＥＰ８に戻る（ＳＴＥＰ１４）。現在表示しているパターンｎがパターン最大番号である８を超えていれば、ＳＴＥＰ７に戻り、上記を繰り返す。
【００３２】
以上のように本実施の形態１の自動販売機によれば、販売待機中に、照明手段６、商品選択ボタン７を任意のパターンで連動して表示を切り替え、統一感のある表示を行うことで、消費者の注意をより一層引くことができる。
【００３３】
また、金額表示器９は販売待機中に７セグメントＬＥＤ１１の点灯部と消灯部を切り替えてキャラクタ（図示しない）が表情を変えるように表示させてもよい。またこれと連動して照明手段６と商品選択ボタン７を特定の順序で点灯と消灯を繰り返し行い、照明手段６と商品選択ボタン７と金額表示器９との連動動作によって販売待機状態の表示を行う。
【００３４】
また表示動作は複数のパターンが記憶されており、商品購入があった後は前回とは異なる順序で７セグメントＬＥＤ１１の点灯部と消灯部を行い、商品選択ボタン７も前回と異なる順序で点灯、消灯を繰り返し利用者へのアピールを行う。
【００３５】
金額表示器９は最大５桁の７セグメント表示を行うので、販売待機時に、そのセグメントを活用して金額表示器９にキャラクタを施し、照明手段６、商品選択ボタン７と連動させるので、自動販売機１が設置されていることをアピールするとともに購買意欲を高めることができる。
【００３６】
また、販売待機中に、照明手段６、商品選択ボタン７、金額表示器９を任意のパターンで連動して表示を切り替え、更に音発生手段１２による発音パターンも連動させることで、視覚的だけでなく聴覚的にも消費者の注意を引くことができる。
【００３７】
また、音発生時間帯設定手段１３により設定した時間帯以外は音発生手段１２による発音を行わないので、夜間などに周囲に迷惑がかからないような時間帯をオペレータが自由に設定し、周囲に迷惑をかけないようにすることができる。
【００３８】
また、照明手段６、商品選択ボタン７、金額表示器９による表示、音発生手段１２により発音する任意のパターン動作をどのパターンで動作させるかを選択できることにより、オペレータの好み、ロケーションに応じたパターンを選択することができる。
【００３９】
また、照明手段６、商品選択ボタン７、金額表示器９による表示、音発生手段１２による発音を行う時間帯を設定するパターン動作時間帯設定手段１８を備え、消費者がいない時間帯での無駄なパターン動作をさせないことで、省エネを図ることができる。
【産業上の利用可能性】
【００４０】
以上のように、本発明にかかる自動販売機は、販売待機時に照明手段、商品選択ボタン、金額表示器による表示、音発生手段による発音を連動させることにより、様々な種類の自動販売機に適用できる。
【図面の簡単な説明】
【００４１】
【図１】本発明の実施の形態１における自動販売機の外観を示した斜視図
【図２】同実施の形態の自動販売機の金額表示器の外観を示した正面図
【図３】同実施の形態の自動販売機の照明手段と商品選択ボタンと金額表示器の表示パターン状態を示す説明図
【図４】同実施の形態の自動販売機の実施の形態１の機能ブロック図
【図５】同実施の形態の自動販売機の音発生手段の発音パターン動作状態を示す説明図
【図６】同実施の形態による全連動パターンを示す説明図
【図７】同実施の形態の自動販売機の動作を示すフローチャート
【図８】同実施の形態の自動販売機の動作を示すフローチャート
【符号の説明】
【００４２】
１    自動販売機
２    本体部
３    メイン扉部
４    商品見本パネル（商品サンプル表示部）
５    商品展示スペース
６    照明手段
７    選択ボタン
８    硬貨投入口
９    金額表示器
１０  商品取出口
１１  ７セグメントＬＥＤ
１２  音発生手段
１３  音発生時間帯設定手段
１４  音発生時間帯記憶手段
１５  全パターン記憶手段
１６  パターン設定手段
１７  パターン記憶手段
１８  パターン動作時間帯設定手段
１９  パターン動作時間帯記憶手段
３０  演算制御部
【図１】
2009169638.tif 000003
【図２】
2009169638.tif 000004
【図３】
2009169638.tif 000005
【図４】
2009169638.tif 000006
【図５】
2009169638.tif 000007
【図６】
2009169638.tif 000008
【図７】
2009169638.tif 000009
【図８】
2009169638.tif 000010